(57)【要約】【課題】  耳掃除が容易にでき、かつ安全性の高い耳垢取具を得る。【解決手段】  耳垢取具１０は、耳孔入口に装着するガイド筒２と、このガイド筒２の内面に開口端が接着された袋体３と、袋体３を耳内へ挿入する挿入棒４とを備えている。ガイド筒２の外側端部から、耳内へ挿入された袋体３閉塞端３Ｂまでの長さを耳孔入口から鼓膜９までの距離よりも短寸にし、鼓膜９を傷つけないようになっている。袋体３には粘着剤６が塗布され、挿入棒４を挿し込み、この粘着剤６に耳垢を付着させる。ストッパ４Ｂは、該挿入棒４の深入れを規制し、挿入棒４の小球部４Ｄと、袋体３の閉塞部３Ｂを接着することにより、耳内で耳垢を付着させた状態の袋体３の粘着剤６を耳外に取り出しながら内側に反転させて耳垢をこぼれないようにした。【選択図】図１
2008086553.tif 000002
【特許請求の範囲】
【請求項１】
耳孔入口に装着されるガイド筒と、
開口端がガイド筒内面に接着されて本体を外部に露出させ、内側に粘着剤が塗布された軟質性の袋体と、
袋体を閉塞側からガイド筒内を経由させ内外面を反転させて耳孔内に押し込み、袋体の粘着面を耳孔壁に押しつける挿入棒とを備えたことを特徴とする耳垢取具。
【請求項２】
袋体の長さを耳孔口から鼓膜までの距離より短寸にしたことを特徴とする請求項１に記載の耳垢取具
【請求項３】
挿入棒に深入れを規制するためのストッパを設けたことを特徴とする請求項１に記載の耳垢取具
【請求項４】
挿入棒の挿入側先端を袋体閉塞部に接離自在に構成したことを特徴とする請求項１または３に記載の耳垢取具
【発明の詳細な説明】
【技術分野】
【０００１】
本発明は耳垢取具に関する。
【背景技術】
【０００２】
従来、耳垢を除去するのは竹製やプラスチック製の耳かき或いは綿棒を用いるのが一般的である。従来の耳かきでは強く掻くことで外耳道を傷つけるおそれがある。また、耳かき・綿棒共に、耳垢を奥に押し込んでしまったり、取った耳垢を耳内で落下させてしまったりすることがあり、十分に耳垢を取り除くことができないという問題があった。さらに、耳掃除中に誤って深く入れ過ぎることにより鼓膜を傷つける危険や痛みを伴うことがある。
【０００３】
このため、従来から耳垢をとりやすくするために、棒の先端に粘着物質をつけ、耳道内の耳垢を粘着物質に付着させて耳垢を除去するものが提案されている。（特許文献１参照）特許文献１に記載の粘着式耳垢取りは、棒の先端に粘着物質をつけて粘着物質に耳垢を付着させることにより耳垢を除去する耳垢取りである。
【特許文献１】特開２０００−２２９０４５号公報（第２頁、図１）
【発明の開示】
【発明が解決しようとする課題】
【０００４】
しかしながら、上記従来の耳垢取りは、器具を深入りさせてしまう危険性がある。また、棒の先に粘着物質をつけているので、粘着部の表面積が小さく、わずかな耳垢の付着ですぐに粘着力が失われるという問題がある。また、耳介や毛髪などに粘着物質が付着して耳孔に挿入する前に粘着力を低下させてしまうこともあり、その場合、耳掃除の途中で新たに棒を交換する必要があった。
【０００５】
本発明は、上記課題を解決するためになされたもので、安全かつ容易に耳垢が取れ、しかも耳掃除の際に痛みのない耳垢取具を提供することを目的とするものである。
【課題を解決するための手段】
【０００６】
本発明の請求項１に係る耳垢取具は、耳孔入口に装着されるガイド筒と、開口端がガイド筒内面に接着されて本体を外部に露出させ、内側に粘着剤が塗布された軟質性の袋体と、袋体を閉塞側からガイド筒内を経由させ内外面を反転させて耳孔内に押し込み、袋体の粘着面を耳孔壁に押しつける挿入棒とを備えたものである。
【０００７】
請求項１に係る耳垢取具では、耳孔入口に装着されるガイド筒と、開口端がガイド筒内面に接着されて本体を外部に露出させ、内側に粘着剤が塗布された軟質性の袋体と、袋体を閉塞側からガイド筒内を経由させ内外面を反転させて耳孔内に押し込み、袋体の粘着面を耳孔壁に押しつける挿入棒とを備えたことにより、挿入棒の先端を閉塞端に当ててガイド筒内に押し込むと、袋体は徐々に反転されて内側粘着面が耳孔内で外側に露出する。挿入棒を操作して袋体を耳孔壁側に押しつけると、袋体の反転した露出粘着面が耳孔壁に押しつけられ耳垢が粘着面に付着する。挿入棒を引き抜き、ガイド筒を外すと耳垢の付着した袋体を取り出すことができる。
【０００８】
本発明の請求項２に係る耳垢取具は、請求項１に記載の耳垢取具において、袋体の長さを耳孔口から鼓膜までの距離より短寸にしたものである。
【０００９】
請求項２に係る耳垢取具では、請求項１の耳垢取具において、袋体の長さを耳孔口から鼓膜までの距離より短寸にしたことにより、袋体が鼓膜まで深入りすることがない。
【００１０】
本発明の請求項３に係る耳垢取具は、請求項１に記載の耳垢取具において、挿入棒に深入れ防止のためのストッパを設けたものである。
【００１１】
請求項３に係る耳垢取具では、請求項１に記載の耳垢取具において、挿入棒に深入れ防止のためのストッパを設けたことにより、袋体を挿入する際に挿入棒を深く入れ過ぎるのを防止する。このため袋体が鼓膜に接触することがない。
【００１２】
本発明の請求項４に係る耳垢取具は、請求項１または３に記載の耳垢取具において、挿入棒の挿入側先端と袋体閉塞部を接離自在に構成したものである。
【００１３】
請求項４に係る耳垢取具では、請求項１または３に記載の耳垢取具において、挿入棒の挿入側先端と袋体閉塞部を接離自在に構成したことにより、耳孔内において粘着剤面が外側に反転している状態の袋体を、挿入棒を引き出すことによって容易に取り出すことができるとともに、袋体を耳外に取り出しながら耳垢を付着させた袋体粘着面を再び内側に戻すことから、耳から除去した耳垢を耳内外でこぼすことなく回収することができる。
【発明の効果】
【００１４】
本発明に係る耳垢取具では、耳孔入口に装着されるガイド筒と、開口端がガイド筒内面に接着されて本体を外部に露出させ、内側に粘着剤が塗布された軟質性の袋体と、袋体を閉塞側からガイド筒内を経由させ内外面を反転させて耳孔内に押し込み、袋体の粘着面を耳孔壁に押しつける挿入棒とを備えたことにより、耳内を傷つけることなく容易かつ確実に耳垢を取ることができる。
【発明を実施するための最良の形態】
【００１５】
耳内を傷つけることなく安全かつ容易に耳垢を取るという目的を、耳孔入口に装着されるガイド筒と、開口端がガイド筒の筒部内面に接着され本体を外部に露出させ、内側に耳垢を付着させるための粘着剤が塗布された軟質性の袋体と、軟質性の袋体を閉塞側からガイド筒内を経由させ内外面を反転させて耳孔内に押し込む挿入棒とを備えて構成し、この挿入棒により袋体の反転された粘着面を耳孔壁に押しつけ耳垢を付着させることにより実現した。
【実施例１】
【００１６】
以下、図面に示す実施例により本発明を説明する。図１の（Ａ）および（Ｂ）はそれぞれ本発明の一実施例に係る耳垢取具１０の各部品の組立て状態を示す説明図である。図２の（Ａ）ないし（Ｃ）は、それぞれ本発明の一実施例に係る耳垢取具１０のセット状態を示す説明図である。本実施例に係る耳垢取具１０はガイド筒２と袋体３と挿入棒４とを備えて構成されている。
【００１７】
図１の（Ａ）に示すようにガイド筒２は、筒部２Ａを備え、この筒部２Ａは、外径が耳孔の内径よりも小径に形成された中空円筒状の筒体で、耳孔内に挿入されるようになっている。この筒部２Ａは耳孔に挿入される側が小径に他方が大径の円錐状に形成される。筒部２Ａの大径側開口部には、鍔状のストッパ２Ｂが形成される。ストッパ２Ｂは、筒部２Ａが耳孔入口に入り込むとそれ以上内部へ進入するのを防ぐようになっている。
【００１８】
袋体３は、ゴムまたは合成樹脂等の薄い柔軟性を持つ素材で袋状に形成され、内外面が反転可能になっている。すなわち一端が閉塞され、他端が開口した有底円筒形状に形成される。袋体３の閉塞部３Ｂは、耳内を滑らかに通るよう半球形になっている。袋体３は開口部外周３Ａが接着剤５により、ガイド筒２の筒部２Ａ内面に接着され、本体はガイド筒２の小径側開口端から外部に露出されるようになっている（図１の（Ｂ）参照）。筒部２Ａ大径側端から袋体閉塞部３Ｂまでの長さＬ１は、ガイド筒２を耳孔入口に装着した際、骨部外耳道または鼓膜までに達しない寸法に予め設定されている。すなわち、耳孔入口から耳孔内のうち軟骨部外耳道までの長さに設定され、それより奥の器官である触れると痛みを伴う骨部外耳道や鼓膜９に接触しないようになっている。
【００１９】
また、袋体３はガイド筒２に接着された後、図１の（Ｂ）に示す状態で露出した表面に耳垢を付着させる粘着剤６を塗布するようになっている。粘着剤６は、図２の（Ａ）に示すように袋体３の外側に使用時に塗布され、耳孔壁にある耳垢を付着させて除去するものである。
【００２０】
挿入棒４は、軸部４Ｃの一端に球状の摘み部４Ａが、他端にガイド筒２の内径よりも小径に形成された小球部（挿入側先端）４Ｄがそれぞれ形成される。また軸部４Ｃには、挿入側先端の小球部４Ｄから摘み部４Ａ側に向かって所定の距離Ｌ２を確保して耳孔入口の径寸法より長いストッパ４Ｂが形成されている。挿入棒４は、摘み部４Ａを指で持ち、小球部４Ｄを操作するようになっている。小球部４Ｄは、図２の（Ｂ）に示すように摘み部４Ａにより袋体３の閉塞部３Ｂをガイド筒２に押し込んで袋体３の内外面を反転させるようになっている。また小球部４Ｄは、袋体３が耳孔内に導入されると摘み部４Ａを操作して袋体３の内側３Ｒから袋体３の外面を耳孔壁に押し付けることができるようになっている。小球部４Ｄとストッパ４Ｂとの距離Ｌ２は、挿入棒４の小球部４Ｄが直接耳孔に差し入れられてストッパ４Ｂが耳介に当たっても、小球部４Ｄが骨部外耳道または鼓膜９まで達しないようになっている。このためガイド筒２を介して挿入棒４が耳孔内に挿入されても小球部４Ｄが骨部外耳道または鼓膜９に接触することはない。
【００２１】
小球部４Ｄには接着剤７が塗布され、袋体３に接離可能に接着されるようになっている。すなわち、図２の（Ａ）に示すように、ガイド筒２に接着され外面に粘着剤６が塗布された袋体３に、ガイド筒２のストッパ２Ｂ側開口部から小球部４Ｄを差し入れて、閉塞部３Ｂ内面に接着させ、次に小球部４Ｄを引き戻すと、袋体３は閉塞部３Ｂが小球部４Ｄに引っ張られ、図２の（Ｃ）に示すように内外面が反転して本体がストッパ２Ｂ側開口部に露出するようになっている。こうして袋体３は、ガイド筒２のストッパ２Ｂ側で粘着剤６の塗布された面を内側にして、使用前の状態にセットされる。
【００２２】
次に上記実施例に係る耳垢取具の作用について説明する。上記実施例に係る耳垢取具１０は、使用前に予め下記のような準備をする。
（１）ガイド筒２に袋体３を接着して、袋体３の本体をガイド筒２の小径側開口部から露出させる（図１（Ｂ）参照）。
（２）袋体３の露出した外面に粘着剤６を塗布し、挿入棒４の小球部４Ｄに接着剤７を塗布し、この小球部４Ｄをガイド筒２を介して袋体３の閉塞部３Ｂ内側に押し当てて接着させる（図２（Ａ）参照）。
（３）挿入棒４を小球部４Ｄを接着させた状態で引き戻す（図２の（Ｂ）（Ｃ）参照）。
（４）粘着剤６が塗布された面を内側にして袋体３と小球部４Ｄとを引き離す。
上述の準備をした後に、ガイド筒２を耳孔に装着する。
【００２３】
このとき袋体３は内外反転しており、粘着剤６は袋体３の内側にあるので、粘着剤６が耳介や毛髪などに付着することがなく、耳内に到達するまで粘着力が保持される。
（５）挿入棒４の小球部４Ｄを、袋体３の閉塞部３Ｂ外面に接着させ、そのままガイド筒２内へ押し込み（図３参照）、袋体３を反転させて耳孔内へ導入する（図４参照）。
（６）次に摘み部４Ａを操作して小球部４Ｄを袋体３の内側面（非粘着面）３Ｒに当て、袋体３の粘着面（粘着剤６塗布面）を耳孔壁に押し付ける。このため耳孔内の耳垢は粘着面に付着する。
（７）耳垢を粘着面に付着させた後、挿入棒４を引き抜くと、袋体３は内外面が反転し、耳垢は内側になった粘着面に付着したまま外部に取り出される。
【００２４】
ガイド筒２の筒部２Ａの大径部端部から袋体３の閉塞部３Ｂまでの長さＬ１は、耳孔入口から、耳孔内のうち軟骨部までの長さに設定されているので、耳奥深く入るのを規制するとともに、痛みを伴うことがない。また、挿入棒４の小球部４Ｄとストッパ４Ｂとの距離Ｌ２は、小球部４Ｄが直接耳孔に差し入れられてストッパ４Ｂが耳介に当たっても、小球部４Ｄが骨部外耳道または鼓膜９まで達しないようになっている。このため挿入棒４が耳孔内に挿入されても小球部４Ｄが骨部外耳道または鼓膜９に傷つけることはない。したがって耳掃除中に外部からの衝撃や振動、例えば人が耳掃除中の者に腕にぶつかるなどのアクシデントが起こっても、誤って耳垢取具１０を耳の奥深く入れてしまう危険性が無く安全である。
【００２５】
袋体３は軟質性の材質でできているので、小球部４Ｄで耳孔内壁に押しつけても耳内が傷つけられることはない。粘着剤６は、耳垢を除去したい部分全体に直接接触しているので、袋体３を綿棒などのように前後動や回転動作をする必要がなく、耳垢を付着させるにあたり粘着力を維持させることができ、粘着剤６に付着した耳垢は、耳内でこぼれおちることがない。また、耳外へ取り出された後の袋体３は、耳垢が付着した粘着剤６が内側になって耳外に出るので、除去した耳垢が耳外でこぼれ落ちて散らばることがなく後始末が簡便で清潔である。このように、本実施例に係る耳垢取り具１０では、安全に耳掃除ができ、耳内を傷つけることなく容易かつ確実に耳垢を取ることができる。
【００２６】
なお、上記実施例に係る耳垢取具１０は、使い捨ての耳垢取具について述べられているが、繰り返し使用に耐えうる材質のものを採用した場合には、繰り返し使用が可能な耳垢取具にすることが可能であるのはいうまでもない。
【００２７】
また、ガイド筒２のストッパ２Ｂの形状は上記実施例のような鍔状の形のものに限られるものではなく、楕円形、扇型などガイド筒が耳孔内に入るのを制止するものであれば、任意の形状であっても差し支えない。さらに、ガイド筒に例えば耳鼻科で使用されている円錐形の耳鏡を採用した場合は、耳ストッパを設けることなくガイド筒の役割を果たすことが可能である。ガイド筒２と挿入棒４は耳掃除としての使用に耐えうる強度を有していれば材質を問わない。接着剤５、接着剤７は、それぞれ接着対象の袋体３とガイド筒２、挿入棒４と袋体３の材質の組み合わせによりそれぞれ適した接着剤が用いられる。
【００２８】
上記実施例では、使用前に袋体３に粘着剤６を塗布する方法が採用されているが、これに限られるものではなく、予め袋体に粘着体を塗布したものを使用してもよい。その際には、粘着剤は袋体の内側に塗布され、ガイド筒と袋体とを接着する向きが、上記実施例と反対側である筒部大径部に露出するように接着される。
【００２９】
挿入棒４の摘み部４Ａについては、持ちやすい形状であれば上記実施例のような球形に限られるものでなく、棒状、リング状など任意の形状で差し支えない。また、軸部４Ｃの長さを骨部外耳道または鼓膜までに達しない寸法に設定することにより、ストッパ４Ｂを設けないで挿入棒４を使用することも可能である。その際には摘み部４Ａの径をガイド筒２の筒部２Ｂ内径よりも大径に設定する。さらに、上記実施例では小球部４Ｄと、袋体閉塞部３Ｂを接離自在にしたものについて述べているが、これに限られるものでなく、小球部４Ｄと袋体閉塞部３Ｂを接着させたままの状態で使用してもよいし、小球部４Ｄと袋体閉塞部３Ｂを接着しないで使用することも可能である。その際、袋体３を耳内から外すには、ストッパ２Ｂ部分を持って引き出せばよい。
【００３０】
この耳垢取具１０は耳内を不用意に傷つける危険性もなく、かつ耳垢の取りこぼしも無く、操作しやすいので、要介護の高齢者や傷病者に対する耳掃除も容易に行うことができる。また、耳垢を即時に引きはがすことができるので、耳掃除を嫌がったり数分でもじっとしていなかったりする幼小児などにも短時間で耳掃除ができる。このようにこの耳垢取具は広範囲の対象者が安全に使用でき、従来よりも実用性が非常に高い。
【図面の簡単な説明】
【００３１】
【図１】（Ａ）、（Ｂ）はそれぞれ、本発明の実施例に係る耳垢取具の組立状態を示す説明図およびその耳垢取具の使用状態を示す説明図である。（実施例１）
【図２】（Ａ）ないし（Ｃ）はそれぞれ、図１の耳垢取具を耳孔入口に装着する前の状態を示す説明図である。
【図３】耳垢取具の耳内における使用状態を示す説明図である。
【図４】耳垢取具の耳内における使用状態を示す説明図である。
【符号の説明】
【００３２】
２  ガイド筒
３  袋体  
３Ｂ  袋体閉塞部
４  挿入棒
６  粘着剤
１０  耳垢取具
【図１】
2008086553.tif 000003
【図２】
2008086553.tif 000004
【図３】
2008086553.tif 000005
【図４】
2008086553.tif 000006